(57)【要約】【課題】レンズ群が停止位置で動くことなくレンズ位置が安定に維持され、ピント位置の変動もなく、解像度の高いレンズ鏡胴及び携帯型情報端末装置を得る。【解決手段】複数のレンズ群の少なくとも一部を収納する沈胴状態と、レンズ群の少なくとも一部を被写体側に移動させた撮影状態を得ることができるレンズ鏡胴であって、最も被写体側に位置する第１レンズ群１１と被写体側から第２番目に位置する第２レンズ群１２は光軸方向の距離が変動するものであり、第１レンズ群１１と第２レンズ群１２の間に、圧縮ばねとねじりコイルばねの両方の機能を合わせ持ったばね３０が設置され、ばね３０によって少なくとも第２レンズ群１２に光軸方向の付勢力と光軸に垂直な面における回転方向の付勢力が与えられている。【選択図】図１
2008224795.tif 000002
【特許請求の範囲】
【請求項１】
複数のレンズ群を有し、少なくとも隣り合うレンズ群相互の光軸方向の距離が変動するレンズ鏡胴において、
光軸方向の距離が変動するレンズ群相互間に、圧縮ばねとねじりコイルばねの両方の機能を合わせ持ったばねが設置され、
上記レンズ群相互が光軸方向の付勢力と光軸に垂直な面における回転方向の付勢力が与えられていることを特徴とするレンズ鏡胴。
【請求項２】
複数のレンズ群の少なくとも一部を収納する沈胴状態と、上記レンズ群の少なくとも一部を被写体側に移動させた撮影状態を得ることができるレンズ鏡胴であって、
最も被写体側に位置する第１レンズ群と被写体側から第２番目に位置する第２レンズ群は光軸方向の距離が変動するものであり、
上記第１レンズ群と第２レンズ群の間に、圧縮ばねとねじりコイルばねの両方の機能を合わせ持ったばねが設置され、
上記ばねによって少なくとも第２レンズ群に光軸方向の付勢力と光軸に垂直な面における回転方向の付勢力が与えられていることを特徴とするレンズ鏡胴。
【請求項３】
ばねは、レンズを通る光束を遮らないように、光束の通路の外方に配置されている請求項１または２記載のレンズ鏡胴。
【請求項４】
第２レンズ群はシャッタ機構と一体に固定されている請求項２に記載のレンズ鏡胴。
【請求項５】
ばねの一端部は第１レンズ群を保持する枠に結合され、ばねの他端部は第２レンズ群を保持する枠に固定されている請求項２記載のレンズ鏡胴。
【請求項６】
光軸方向の距離が変動するレンズ群であって隣り合うレンズ群の少なくとも一つはカムフォロワを有し、このカムフォロワは、光軸方法の直線溝とカム溝に嵌まっている請求項１記載のレンズ鏡胴。
【請求項７】
少なくとも第２レンズ群を保持する枠はカムフォロワを有し、このカムフォロワは、光軸方法の直線溝とカム溝に嵌まっている請求項２記載のレンズ鏡胴。
【請求項８】
カメラ機能部を有し、このカメラ機能部の撮影用光学系として、請求項１から７のいずれかに記載のレンズ鏡胴を用いた光学系を含み、この光学系による結像位置に撮像素子が配置されている携帯型情報端末装置。
【発明の詳細な説明】
【技術分野】
【０００１】
本発明は、レンズ鏡胴およびこのレンズ鏡胴をカメラ機能部の撮影用光学系として用いた携帯型情報端末装置に関するもので、移動するレンズの位置精度を高めることができるように工夫したものである。
【背景技術】
【０００２】
カメラに用いられる撮影レンズは、複数のレンズ群で構成され、合焦、ズームすなわち焦点距離の連続可変、沈胴などの機能を果たすために、レンズ群相互の光軸方向の距離が変動する構成になっている。特に、ズームまたは沈胴、あるいはその両方の機能を備えた撮影レンズにおいては、レンズ群の光軸方向の移動距離が長く、その鏡胴の構成は複雑である。
【０００３】
近年、デジタルカメラなどの撮影装置においては、ズーム機能を備えながら高品質の画像が得られるように高性能化が求められるとともに、携帯時の利便性のために小型化が求められ、技術開発の進展によってこれらの要求に応えている。小型化の要求を満たすためにはレンズ鏡胴を沈胴式にするのが有効で、沈胴式カメラが増加している。沈胴式カメラに適用するレンズ鏡胴において、レンズ系を構成するレンズ群全体を単に光軸方向に移動させて沈胴させるのでは、沈胴した状態でのレンズ鏡胴全体の光軸方向長さを短縮させるのに限界があり、カメラ本体の薄型化にも限界がある。
【０００４】
そこで、沈胴時に、レンズ群の一部を光軸外に退避させ、他のレンズ群を光軸方向に後退させる機構を備えたものが提案され、実用化されている。本発明者の発明にかかる特許文献１記載の発明はその例である。特許文献１記載の発明は、固定枠の内面に形成されたカム溝に第１の回転筒のカムフォロワを係合させ、収納状態から短焦点広角端への駆動により、第１の回転筒は最大繰り出し位置まで繰り出し、その後、短焦点広角端から長焦点望遠端への駆動では第１の回転筒は空転するように、上記カム溝の物体側端部が固定筒の端面に平行に形成されている。つまり、レンズ群の繰り出し動作の早い段階で第１の回転筒を完全に繰り出すことにより、退避している第３レンズ群枠を光軸上に挿入するスペースをあらかじめ確保して、第３レンズ群を光軸上に速やかに進出させるようにしたものである。
【０００５】
【特許文献１】特開２００６−３９１５２号公報
【発明の開示】
【発明が解決しようとする課題】
【０００６】
撮影レンズにおいて、光軸方向に移動するレンズ群は停止位置においてその位置を安定に保持するものでなければならない。特に、沈胴式カメラに適用されるレンズ鏡胴は、各レンズ群の移動距離が長くなり、レンズ群がどこで停止してもその位置を安定に保持させることは難しい。その理由は、長い距離を移動させるための機構として、直進案内溝、これに交差するカム溝を備え、レンズ群と一体に設けたカムフォロワを、上記直進案内溝とカム溝の交差位置に嵌めてなるレンズ群の移動機構が用いられるが、直進案内溝及びカム溝とカムフォロワとの間には僅かながらも隙間が生じるからである。この隙間の範囲内でレンズ群が動いてレンズ位置が不安定になり、ピント位置が不安定になって、レンズの解像力が低下する。かかる問題は、特許文献１記載の発明特有の問題ではなく、沈胴式カメラあるいはカム溝とカムフォロワを有するレンズ移動機構を備えたレンズ鏡胴一般に言えることである。
【０００７】
本発明は、上記のような従来技術における未解決の課題を解消し、少なくとも隣り合うレンズ群相互の光軸方向の距離が変動するレンズ鏡胴において、例えば、直進案内溝とカム溝の交差位置にレンズ群と一体のカムフォロワが嵌まることによって構成されたレンズ移動機構であったしても、また、上記直進案内溝およびカム溝と上記カムフォロワとの間に隙間があったとしても、レンズ群が停止位置で動くことなくレンズ位置が安定に維持され、ピント位置の変動もなく、解像度の高いレンズ鏡胴を提供することを目的とする。
【０００８】
本発明はまた、カメラ機能部を有する携帯型情報端末装置であって、カメラ機能部の撮影用光学系として上記本発明に係るレンズ鏡胴を採用することにより、レンズ位置が安定に維持され、ピント位置の変動もなく、高画質の画像を得ることができる携帯型情報端末装置を提供することを目的とする。
【課題を解決するための手段】
【０００９】
本発明は、複数のレンズ群を有し、少なくとも隣り合うレンズ群相互の光軸方向の距離が変動するレンズ鏡胴において、光軸方向の距離が変動するレンズ群相互間に、圧縮ばねとねじりコイルばねの両方の機能を合わせ持ったばねが設置され、上記レンズ群相互が光軸方向の付勢力と光軸に垂直な面における回転方向の付勢力が与えられていることを最も主要な特徴とする。
【００１０】
本発明はまた、複数のレンズ群の少なくとも一部を収納する沈胴状態と、上記レンズ群の少なくとも一部を被写体側に移動させた撮影状態を得ることができるレンズ鏡胴であって、最も被写体側に位置する第１レンズ群と被写体側から第２番目に位置する第２レンズ群は光軸方向の距離が変動するものであり、上記第１レンズ群と第２レンズ群の間に、圧縮ばねとねじりコイルばねの両方の機能を合わせ持ったばねが設置され、上記ばねによって少なくとも第２レンズ群に光軸方向の付勢力と光軸に垂直な面における回転方向の付勢力が与えられていることを特徴とする。
【発明の効果】
【００１１】
本発明に係るレンズ鏡胴によれば、光軸方向の距離が変動するレンズ群相互間に設置されているばねは、圧縮ばねとねじりコイルばねの両方の機能を合わせ持っているため、上記レンズ群相互が光軸方向に付勢されるばかりでなく、光軸に垂直な面における回転方向にも付勢される。レンズ群の移動機構においては、任意の停止位置におけるレンズ群のがたつき成分は光軸方向の成分とこれに直交する方向すなわち光軸を中心とした回転方向の成分に分けることができるが、上記ばねはレンズ群を光軸方向の一方向と回転方向の一方向に付勢するため、光軸方向のがたつきも回転方向のがたつきもなく、レンズ群の停止位置が安定して維持される。よって、ピント位置の変動を抑制することができ、レンズ系の解像度を高めることができる。
【００１２】
沈胴可能なレンズ鏡胴であって、第１レンズ群と第２レンズ群の間に、圧縮ばねとねじりコイルばねの両方の機能を合わせ持っているばねを設置したレンズ鏡胴に本発明を適用すると、第１レンズ群と第２レンズ群は、光軸方向のがたつきも回転方向のがたつきもなく、レンズ群の停止位置が安定して維持され、ピント位置の変動が抑制されてレンズ系の解像度を高めることができる。
【発明を実施するための最良の形態】
【００１３】
以下、本発明にかかるレンズ鏡胴および携帯型情報端末装置の実施例について図面を参照しながら説明する。
【実施例１】
【００１４】
図１はレンズ鏡胴の実施例１を示す。図１において左側が被写体側、右側が像面側である。最も被写体側に位置するレンズ鏡胴を第１レンズ鏡胴１１とする。第１レンズ群１１から像面側に向かって順に第２レンズ群１２、第３レンズ群１３、第４レンズ群１４が配置され、全体で４群のレンズで構成されている。第２レンズ群１２と第３レンズ群１３の間にはシャッタ／絞りユニット１５が配置され、第４レンズ群１４の後に例えばＣＣＤなどからなる撮像素子１６が固定されている。第１レンズ群１１、第２レンズ群１２、シャッタ／絞りユニット１５は後で説明する移動機構により光軸方向に移動するように構成されている。この実施例１に係るレンズ鏡胴は沈胴式レンズ鏡胴で、沈胴時に、第１レンズ群１１、第２レンズ群１２およびシャッタ／絞りユニット１５は第４レンズ群１４に向かって光軸方向に移動するとともに、第１レンズ群１１、第２レンズ群１２が接近する。また、沈胴時に、第３レンズ群１３は光軸に直角な面内において移動し、光軸外に退避するように構成されているが、この退避機構は本願発明に直接的な関係はないから図示は省略されている。
【００１５】
実施例１に係るレンズ鏡胴は、移動可能なレンズ群とシャッタ／絞りユニット１５の移動機構が固定枠２１をベースにして組み立てられている。固定枠２１は、このレンズ鏡胴が組み込まれるカメラあるいは携帯型情報端末装置などのボデーに一端部が固定されている。固定枠２１の内周側には、光軸と平行に直進溝２１１が形成され、また、雌型の送りねじ２１２が固定枠２１の略長さ方向全体近くまで形成されている。固定枠２１の内周側には第１回転筒２２が嵌められ、回転筒２２の後端部（図１において右端部、以下同じ）外周には雄型のねじ２２１が形成され、このねじ２２１は上記送りねじ２１２と噛み合っている。第１回転筒２２は、図示されないモータなどにより光軸を中心にして回転駆動されるようになっていて、第１回転筒２２が回転駆動されると、上記雄型のねじ２２１が上記送りねじ２１２に案内されて光軸方向に移動するようになっている。
【００１６】
第１回転筒２２の内周側には第１ライナー２３が嵌められている。第１ライナー２３は後端部に鍔２３６を有し、この鍔２３６が第１回転筒２２の後端面に接している。第１ライナー２３はまた、後端近くの外周に突起２３５を有し、この突起２３５が第１回転筒２２の内周側に、光軸に対し直交する方向に形成されている周溝２２２に嵌まっている。したがって、第１ライナー２３は周溝２２２にガイドされて第１回転体２２に対し周方向に相対回転することができるが、上記鍔２３６の外周に形成されたキー部２３３が固定筒２１の直進溝２１１に嵌まって回転が制限され、第１回転筒２２のみが回転できるようになっている。
【００１７】
第１ライナー２３の内周側には光軸と平行に直進溝２３１が形成されるとともに、雌型の送りねじ２３２がライナー２３の長さ方向の略全体に形成されている。第１ライナー２３にはまた、カム溝２３４が第１ライナー２３を厚さ方向に貫いて形成されている。上記第１回転筒２２の内周には光軸と平行に直進溝２２４が形成されて上記カム溝２３４と半径方向に重なって交差し、この交差部に第２回転筒２４の外周面から突出しているカムフォロワ２４５が嵌まっている。第２回転筒２４はまた、外周に雄型のねじ２４３を有し、このねじ２４３は上記送りねじ２３２と噛み合っている。第２回転筒２４が第１ライナー２３に対し相対回転すると、雄型のねじ２４３が送りねじ２３２に案内されて光軸方向に移動するようになっている。
【００１８】
第２回転筒２４の内周側には第２ライナー２５が嵌められ、第２ラインー２５の後端部外周に形成された突起２５３が第２回転体２４の内周に形成された周方向の溝２４１に嵌まっている。また、第２ラインー２５の後端に半径方向外方に向かって形成されたキー部２５２が第１ライナー２３の直進溝２３１に嵌まっている。第２ラインー２５の内周側にはカム筒２６が嵌められ、カム筒２６の後端部から半径方向外方に突出して一体に形成された係合部が、第２回転筒２４の後端から後方に突出した係合部２４４と係合することにより、カム筒２６は第２回転筒２４と一体となって回転し、光軸方向に移動できるようになっている。
【００１９】
前記第１回転筒２２が回転駆動されると、第１ライナー２３は回転できないため、第１回転筒２２の直進溝２２４と第１ライナー２３のカム溝２３４の交差位置が光軸方向に移動し、この交差位置に嵌まっているカムフォロワ２４５とともに第２回転筒２４が光軸方向に移動する。また、第２回転筒２４が光軸方向に移動することにより、その雄型のねじ２４３が第１ライナー２３の送りねじ２３２に案内されて回転力が第２回転筒２４に与えられ、第２回転筒２４は上記のように光軸方向に移動しつつ回転する。前述のように第２回転筒とカム筒２６が実質的に一体に構成されているため、カム筒２６も第２回転筒２４とともに光軸方向に移動しつつ回転する。これに対して第２ライナー２５は、前述のようにキー部２５２が前記直進溝２３１に嵌まっているため第２回転筒２４とともに回転することはできない。
【００２０】
第２回転筒２４の内周面と第２ライナー２５の外周面との間には、第２ライナー２５の後端部を除いて円筒型の隙間があり、この隙間に直進筒２７が嵌められている。直進筒２７の内周側には光軸と平行に突条２７１が形成されていて、この突条２７１が第２ライナー２５の直進溝に嵌まることにより、第２回転筒２４に対し光軸方向に直進できるように構成されている。第２回転筒２４の内周側にはカム溝２４２が形成され、このカム溝２４２には、直進筒２７の基端部外周に突出させて形成されたカムフォロワ２７４が嵌まっている。したがって、第２回転筒２４の回転により、直進筒２７は、第２ライナー２５の上記直進溝にガイドされることにより、第２回転筒２４に対して相対回転することなく光軸方向に移動する。直進筒２７には、レンズ枠１７を介して第１レンズ群１１が取り付けられている。
【００２１】
第２ライナー２５の内周側には直進溝２５１が形成され、カム筒２６には上記直進溝２５１と交差することができる二つのカム溝２６２，２６３が前後に、カム筒２６を半径方向に貫いて形成されている。前側のカム溝２６２と上記直進溝２５１の交差部には、第２レンズ群１２を保持したレンズ枠に一体に設けられたカムフォロワ１２１が嵌まっている。後ろ側のカム溝２６３と上記直進溝２５１の交差部には、シャッタ／絞りユニット１５に一体に設けられたカムフォロワ１５１が嵌まっている。したがって、第２回転筒２４とともにカム筒２６が回転すると、第２ライナー２５は回転しないため、上記カムフォロワ１２１、１５１がそれぞれ嵌まっているカム溝と直進溝の交差部が光軸方向に移動し、これに伴って第２レンズ群１２とシャッタ／絞りユニット１５が光軸方向に移動するようになっている。
【００２２】
ここまで説明してきたレンズ移動機構の動作を説明する。図１は、各レンズ群が沈胴位置に収納された状態から短焦点広角端まで移動した態様を示す。いま、第３レンズ群１３が光路外に退避し、第１レンズ群１１、第２レンズ群１２が第４レンズ群１４に近接した沈胴位置にあるものとする。レンズ鏡胴が組み込まれているカメラなどにおいて撮影モードに設定されると、図示されないモータなどによって第１回転筒２２が回転駆動される。第２回転筒２２の回転により、そのねじ２２１が固定筒２１の送りねじ２１２に案内されて光軸方向に進出していく。第１回転筒２２とともに第１ライナー２３も移動し、第２回転筒２４、直進筒２７も移動する。
【００２３】
第１ライナー２３は上記のように第１回転筒２２とともに移動するが、そのキー部２３３が固定筒２１の直進溝２１１に嵌まっているため回転しない。したがって、第１回転筒２２の直進溝２２４と第１ライナー２のカム溝２３４の交差部が前方に移動し、この交差部に嵌まっているカムフォロワ２４５とともに第２回転筒２４が第１回転筒２２に対して光軸方向前方に移動する。この第２回転筒２４の移動により、そのねじ２４３が第１ライナー２３の送りねじ２３２に案内され、第１回転筒２２に対し光軸の周りに相対回転する。第２回転筒２４とともにカム筒２６も回転しつつ移動するが、第２ライナー２５はそのキー部２５２が第１ライナー２３の直進溝２３１に嵌まっているため、回転が規制され、光軸方向に直進するのみである。
【００２４】
直進筒２７はその突条２７１が第２ライナー２５の直進溝に嵌まっているため光軸の周りに回転することはできない。したがって、第２回転筒２４が回転すると、そのカム溝２４２に直進筒２７のカムフォロワ２７４が案内されて、直進筒２７が第２回転筒２４に対して光軸方向前方に進出する。また、カム筒２６が回転するのに対して第２ライナー２５の回転が規制されているため、カム溝２６２と第２ライナー２５の直進溝２５１に嵌まっているカムフォロワ１２１とともに第２レンズ群１２が光軸方向前方に移動し、カム溝２６３と上記直進溝２５１に嵌まっているカムフォロワ１５１とともにシャッタ／絞りユニット１５が光軸方向前方に移動する。
【００２５】
以上のようにしてレンズ群１１、１２およびシャッタ／絞りユニット１５が収納状態から図１に示す短焦点広角端まで移動し、その間、第３レンズ群１３が光路上に進出する。撮影モードでは、ズーミング操作によって各レンズ群が個々に光軸方向に移動する。ズーミング機構は任意であるが、例えば特許文献１に記載されているような、第１回転筒２２の回転によって実現することができる。すなわち、第１ライナー２３のカム溝２３４による第２回転筒２４の光軸方向の移動及び回転を、収納状態から短焦点広角端までの移動において有効にし、短焦点広角端から長焦点望遠端までのズーミングでは、第２回転筒２４が回転しても光軸方向に移動しないように、上記カム溝２３４の前端を、光軸に垂直な面内において延長するとよい。
【００２６】
以上説明したレンズ群の移動機構を備えるレンズ鏡胴に限らず、一般的なレンズ鏡胴によれば、前に説明したように、可動レンズが停止位置を安定に保持することが難しく、ピント位置が不安定になって、レンズの解像力が低下するという技術課題がある。そこで、図１に示す実施例では、上記課題を解決するために、光軸方向の距離が変動するレンズ群相互間に、圧縮ばねとねじりコイルばねの両方の機能を合わせ持ったばね３０を設置している。ばね３０は、図２に示すように、弾性体からなる線材をコイル状に成形したばねで、このばね３０を、図１に示す実施例１では第１レンズ群１１と第２レンズ群１２の間に設置している。より具体的には、バネ３０の両端が第１レンズ群１１のレンズ枠１７の端面と第２レンズ群１２レンズ枠の端面との間に設置している。ばね３０は、レンズ群１１，１２間の光路を遮らないように、内径が光路の外径よりも十分大きくなるように形成されている。また、図１に示す実施例１では、第１レンズ群１１から第２レンズ群１２に向かう光路の外径が第１レンズ群１１から第２レンズ群１２に向かって小さくなる円錐形状になっているため、これに合わせてばね３０も円錐形に形成されている。
【００２７】
ばね３０を設置するに当たり、光軸方向に圧縮してレンズ群１１，１２間に設置するとともに、図２に点線で示すように、一端部３１と他端部３２相互間でねじり方向、すなわち光軸に垂直な面内において光軸を中心とした回転方向に付勢し、一端部３１を第１レンズ群１１のレンズ枠１７に固定し、他端部３２を第２レンズ群１２のレンズ枠に固定している。したがって、第１レンズ群１１と第２レンズ群１２は、互いに光軸方向に移動するように付勢され、かつ、光軸に垂直な面内において回転付勢されている。これらの付勢力は、第１レンズ群１１と第２レンズ群１２の間隔が最大になっても有効に作用するように設定されている。
【００２８】
上記ばね３０を設置することによってもたらされる作用効果を、図３を参照しながら説明する。図３は、第２ライナー２５の直進溝２５１とカム筒２６のカム溝２６２の交差部に第２レンズ群１２のカムフォロワ１２１が嵌まっている状態を示している。上記ばね３０は光軸方向の付勢力を持っているため、この付勢力でカムフォロワ１２１はカム溝２６２の一方の側面に押し付けられている。また、上記ばね３０は光軸に垂直な方向の付勢力を持っているため、この付勢力でカムフォロワ１２１は直線溝２５１の一方の側面に押し付けられている。このようにして、カムフォロワ１２１は、短焦点広角端から長焦点広角端までの範囲において、また、短焦点広角端から沈胴位置までの範囲において、常時、図３に示すような、カム溝２６の一方の側面とカム溝２６２の一方の側面に押し付けられた状態を維持する。したがって、第２レンズ群１２は任意の停止位置においてその位置が安定に保持され、妄りに動くことはない。よって、ピント位置が安定し、解像度の高いレンズ鏡胴を得ることができる。上記作用効果は、ばね３０で付勢されている第１レンズ群１１においても言えることである。
【実施例２】
【００２９】
次に、図４に示す実施例２について説明する。実施例２は、ズーム機能を持たない沈胴式レンズ鏡胴の例で、図４の上半分に沈胴時の動作態様を、下半分に鏡胴を繰り出した撮影時の動作態様を示している。図４において左側が被写体側、右側が像面側である。図４において、カメラのボデーなどに固定されるベースプレート６７に固定筒４１の基端が固定されている。ベースプレート６７は中心部に孔を有し、この孔内に、ＣＣＤなどからなる撮像素子６６が配置されている。固定筒４１は内周側に直進溝４１１を有するとともに、固定筒４１の略長さ方向全体にわたって雌型の送りねじ４１２を有している。固定筒４１の内周側には回転筒４２が嵌められ、回転筒４２の内周側には円筒形のライナー４３が嵌められている。
【００３０】
回転筒４２は後端部外周に雄型のねじ４２１を有し、このねじ４２１が固定筒４１の送りねじ４１２と噛み合っている。したがって、回転筒４２をその中心軸線（光軸）の周りに回転させると、ねじ４２１が送りねじ４１２に案内されて光軸方向に移動するようになっている。上記ライナー４３は前端（図４において左端）部外周に半径方向外方に突出した突起４３１を有し、この突起４３１が回転筒４２の前端部内周に形成された周溝に嵌まることにより、回転筒４２とともに光軸方向に移動することができ、かつ、回転筒４２に対し相対回転することができるように構成されている。上記ライナー４３は後端部外周に半径方向外側に突出してキー４３２が形成されていて、キー４３２が固定筒４１の直進溝４１１に嵌まっている。したがって、ライナー４３は直進溝４１１に沿って直進することができるが、光軸を中心とした回転はできない。ライナー４３はこれを厚さ方向に貫いて形成された光軸方向の直進溝４３３を有している。回転筒４２の内周側には、二つのカム溝４２３，４２４が光軸方向前後に形成されている。カム溝４２３，４２４は上記直進溝４３３と半径方向において交差状に重なることができる。
【００３１】
ライナー４３の内周側には、前側から順に第１レンズ群５１を保持したレンズ枠６１、第２レンズ群５２を保持したレンズ枠６２が嵌められている。レンズ枠６１，６２はそれぞれ外周側にカムフォロワ６１１，６２１を有し、レンズ枠６１のカムフォロワ６１１は上記カム溝４２３と直進溝４３３の交差部に嵌まり、レンズ枠６２のカムフォロワ６２１は上記カム溝４２４と直進溝４３３の交差部に嵌まっている。上記カム溝４２３と直進溝４３３の交差部と、カム溝４２４と直進溝４３３の交差部は回転筒４２の回転によって光軸方向に移動するので、これらの交差部に嵌まっているカムフォロワ６１１，６２１とともにレンズ枠６１，６２およびこれらのレンズ枠で保持されている第１レンズ群５１、第２レンズ群５２が光軸方向に移動するようになっている。
【００３２】
第１レンズ群５１と第２レンズ群５２の間にはシャッタ／絞りユニット６５が配置され、シャッタ／絞りユニット６５は、第２レンズ群５２を保持するレンズ枠６２に取り付けられてレンズ枠６２とともに移動するようになっている。
【００３３】
図４の上半分に示す沈胴位置において、各レンズ群を撮影位置まで繰り出すために回転筒４２を回転させると、そのねじ４２１が固定筒４１の送りねじ４１２に案内されて回転筒４２が光軸方向前方に進出する。回転筒４２とともにライナー４３も前方に進出するが、ライナー４３はそのキー４３２が固定筒４１の直進溝４１１に嵌まっているので、回転することなく直進する。回転筒４２が回転し、ライナー４３が直進することにより、上記のように、第１レンズ群５１、第２レンズ群５２が光軸方向に移動し、第２レンズ群５２とともにシャッタ／絞りユニット６５も移動する。回転筒４２の回転量に対する第１レンズ群５１の光軸方向への移動量と第２レンズ群５２の光軸方向への移動量は、カム溝４２３，４２４の形状に依存する。図４に示す実施例２では、沈胴位置と撮影状態との間で第２レンズ群５３も移動するようになっているが、第３レンズ群を移動させるか否かは任意である。
【００３４】
最も被写体側に位置する第１レンズ群５１の保持枠６１と、第１レンズ群５１に隣接する第２レンズ群５２との間には、圧縮ばねとねじりコイルばねの両方の機能を合わせ持ったばね７０が設置されている。なお、図４に示す実施例２では、ばね７０の後端がシャッタ／絞りユニット６５に固定されているが、シャッタ／絞りユニット６５は第２レンズ群５２と実質一体に結合されているので、実質的には第２レンズ群５２に結合されているのと同じである。
【００３５】
ばね７０の機能は、図１、図２に示すばね３０の機能と同じであり、第１レンズ群５１と第２レンズ群５２の両者を、任意の停止位置において安定に保持することができ、ピント位置が安定し、解像度の高いレンズ鏡胴を得ることができる。
【００３６】
本発明に係るレンズ鏡胴は、これを各種カメラ、例えばデジタルカメラに適用することができ、あるいは、撮影機能を備えた携帯型情報端末装置、例えば、携帯電話、ＰＤＡ（Personal Digital
Assistant）などに適用可能することができる。これによって、ピント位置が安定した高品質の画像を得ることができる。
【図面の簡単な説明】
【００３７】
【図１】本発明に係るレンズ鏡胴の実施例１の半体を示す縦断面図である。
【図２】実施例１に用いられているばねを示す斜視図である。
【図３】実施例１におけるばねの作用効果を説明するための一つのカムフォロワ部分を示す平面断面図である。
【図４】本発明に係るレンズ鏡胴の実施例２を沈胴位置と撮影位置で示す縦断面図である。
【符号の説明】
【００３８】
１１    第１レンズ群
１２    第２レンズ群
１６    撮像素子
２１    固定筒
２２    第１回転筒
２３    第１ライナー
２４    第２回転筒
２５    第２ライナー
２６    カム筒
２７    直進筒
３０    ばね
１２１    カムフォロワ
１５１    カムフォロワ
２５１    直進溝
２６２    カム溝
２６３    カム溝
【図１】
2008224795.tif 000003
【図２】
2008224795.tif 000004
【図３】
2008224795.tif 000005
【図４】
2008224795.tif 000006
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
複数のレンズ群を有し、前記複数のレンズ群の少なくとも一部を収納する沈胴状態と、前記複数のレンズ群の少なくとも一部を被写体側に移動させた撮影状態を得ることができるレンズ鏡胴において、
光軸方向の距離が変動するレンズ群相互間に、圧縮ばねとねじりコイルばねの両方の機能を合わせ持ったばねが設置され、
上記レンズ群相互が光軸方向の付勢力と光軸に垂直な面における回転方向の付勢力が与えられていることを特徴とするレンズ鏡胴。
【請求項２】
複数のレンズ群を有し、前記複数のレンズ群の少なくとも一部を収納する沈胴状態と、前記複数のレンズ群の少なくとも一部を被写体側に移動させた撮影状態を得ることができるレンズ鏡胴であって、
最も被写体側に位置する第１レンズ群と被写体側から第２番目に位置する第２レンズ群は光軸方向の距離が変動するものであり、
前記第１レンズ群と前記第２レンズ群との間に、圧縮ばねとねじりコイルばねの両方の機能を合わせ持ったばねが設置され、
上記ばねによって少なくとも第２レンズ群に光軸方向の付勢力と光軸に垂直な面における回転方向の付勢力が与えられていることを特徴とするレンズ鏡胴。
【請求項３】
複数のレンズ群を有し、少なくとも隣り合うレンズ群相互の光軸方向の距離が変動するレンズ鏡胴において、
光軸方向の距離が変動するレンズ群相互間に、圧縮ばねとねじりコイルばねの両方の機能を合わせ持ったばねが設置され、
上記レンズ群相互が光軸方向の付勢力と光軸に垂直な面における回転方向の付勢力が与えられていることを特徴とするレンズ鏡胴。
【請求項４】
ばねは、レンズを通る光束を遮らないように、光束の通路の外方に配置されている請求項１から３のいずれかに記載のレンズ鏡胴。
【請求項５】
第２レンズ群はシャッタ機構と一体に固定されている請求項２に記載のレンズ鏡胴。
【請求項６】
ばねの一端部は第１レンズ群を保持する枠に結合され、ばねの他端部は第２レンズ群を保持する枠に固定されている請求項２記載のレンズ鏡胴。
【請求項７】
光軸方向の距離が変動するレンズ群であって隣り合うレンズ群の少なくとも一つはカムフォロワを有し、このカムフォロワは、光軸方法の直線溝とカム溝に嵌まっている請求項１または３記載のレンズ鏡胴。
【請求項８】
少なくとも第２レンズ群を保持する枠はカムフォロワを有し、このカムフォロワは、光軸方法の直線溝とカム溝に嵌まっている請求項２記載のレンズ鏡胴。
【請求項９】
カメラ機能部を有し、このカメラ機能部の撮影用光学系として、請求項１から８のいずれかに記載のレンズ鏡胴を用いた光学系を含み、この光学系による結像位置に撮像素子が配置されている携帯型情報端末装置。
【手続補正２】
【補正対象書類名】明細書
【補正対象項目名】０００９
【補正方法】変更
【補正の内容】
【０００９】
本発明は、複数のレンズ群を有し、前記複数のレンズ群の少なくとも一部を収納する沈胴状態と、前記複数のレンズ群の少なくとも一部を被写体側に移動させた撮影状態を得ることができるレンズ鏡胴において、光軸方向の距離が変動するレンズ群相互間に、圧縮ばねとねじりコイルばねの両方の機能を合わせ持ったばねが設置され、上記レンズ群相互が光軸方向の付勢力と光軸に垂直な面における回転方向の付勢力が与えられていることを最も主要な特徴とする。
【手続補正３】
【補正対象書類名】明細書
【補正対象項目名】００１０
【補正方法】変更
【補正の内容】
【００１０】
本発明はまた、複数のレンズ群を有し、前記複数のレンズ群の少なくとも一部を収納する沈胴状態と、前記複数のレンズ群の少なくとも一部を被写体側に移動させた撮影状態を得ることができるレンズ鏡胴であって、最も被写体側に位置する第１レンズ群と被写体側から第２番目に位置する第２レンズ群は光軸方向の距離が変動するものであり、前記第１レンズ群と前記第２レンズ群との間に、圧縮ばねとねじりコイルばねの両方の機能を合わせ持ったばねが設置され、上記ばねによって少なくとも第２レンズ群に光軸方向の付勢力と光軸に垂直な面における回転方向の付勢力が与えられていることを特徴とする。